(57)【要約】【課題】既設のシステム天井用照明器具から交換する場合に、短い施工時間で可能であって、生じる廃棄部材が少ないシステム天井用照明器具を提供する。【解決手段】隣接して並設された一対の天井バー１１、１２の上端間に架設された本体枠２と、本体枠２と一対の天井バー１１、１２とに囲まれた空間に配設される反射板３とを備えたシステム天井用照明器具を新設する。反射板３の下面には反射板３との間に収納空間を形成する補助反射板８が取付けられ、ランプを点灯させる安定器５と、安定器５と電源との間に介在する端子台６とが収納空間に収納される。反射板３の下面には、ランプを保持するソケット４が設けられ安定器５に接続される。【選択図】図１
2005100865.tif 000002
【特許請求の範囲】
【請求項１】
天井下地から吊下された複数本の天井バー間に天井パネルを設けて形成されるシステム天井において隣接して並設された一対の天井バーの上端間に架設された本体枠と、前記一対の天井バーと本体枠とで囲まれた空間に収納される反射板と、反射板に対して本体枠と反対側に設けられ反射板との間に収納空間を形成する補助反射板と、反射板の下面側に設けられランプを保持するソケットと、ソケットに接続されランプを点灯させる安定器と、安定器と電源との間に介在し安定器に電源を供給する端子台とを備え、安定器と端子台とは、反射板と補助反射板との間に形成された前記収納空間内に収納されることを特徴とするシステム天井用照明器具。
【請求項２】
前記本体枠は前記隣接して並設された一対の天井バー間に設けられていた既設の照明器具の一部材であって、前記反射板が本体枠に設けられた取付部に対して取付部材によって固着されて成ることを特徴とする請求項１記載のシステム天井用照明器具。
【請求項３】
前記隣接して並設された天井バーの上端間に前記本体枠とは別に架設される固定部材が設けられ、前記反射板が固定部材に固着されて成ることを特徴とする請求項１記載のシステム天井用照明器具。
【請求項４】
前記ソケットは前記安定器に接続されたリード線が接続される電極を前記反射板の上面に露出させており、反射板には、リード線が反射板の上面側において反射板と前記本体枠との間に収納される部位にリード線を上下に挿通させる接続用孔が形成されることを特徴とする請求項１ないし請求項３のいずれか１項に記載のシステム天井用照明器具。
【発明の詳細な説明】
【技術分野】
【０００１】
本発明は、システム天井用照明器具に関するものである。
【背景技術】
【０００２】
一般に、天井スラブ等の天井下地に吊下された吊りボルトの下端部にハンガーを介して保持された天井バーが、天井下地に沿った面内において略平行して複数本設けられ、隣接して並設された一対の天井バー間に天井パネル等が設けられたシステム天井が知られている。この種のシステム天井に用いるシステム天井用照明器具（以下、照明器具と略称する）は、図１に示すような隣接して並設された一対の天井バー１１、１２間に設置可能となるように構成されている。各天井バー１１、１２は、断面Ｔ字状で縦片の先端部に断面矩形状の頭部を有する所謂Ｔバーであって、頭部を上側に向けた形で配設されている。
【０００３】
照明器具は、一対の天井バー１１、１２の頭部間に架設される天井バー１１、１２の長手方向に長い矩形枠状の本体枠２と、本体枠２の下面に取り付けられる反射板とを備える。照明器具に設けたランプは、直管形の蛍光灯であって、天井バー１１、１２の長手方向に対向して設けられる２個１組のソケット間に保持される。ソケットは、本体枠２の長手方向の両端部における下面に取付けられる。また、ソケットに接続されることによってランプを点灯させる安定器と、安定器と外部の電源との間に介在し安定器に電源を供給する端子台とを収納した箱状の点灯装置２７が、点灯装置用ねじ２７１によって本体枠２の上面側に取付けられる（たとえば、特許文献１参照）。
【０００４】
ところで、一対の天井バー間に取付けられた照明器具を交換する際に、新設する照明器具に既設の照明器具の本体枠を流用する施工技術が知られている。この施工手順では、まず図９に示すように、本体枠２を一対の天井バー１１、１２から取外す。次に、図１０に示すように、点灯装置用ねじ２７１を外すことによって既設の点灯装置２７を本体枠２から取外す。その後に、図１１に示すように、新設する点灯装置２７’を本体枠２上に点灯装置用ねじ２７１によって取付ける。そして、新設する点灯装置２７’が取付けられた本体枠２を一対の天井バー１１、１２間に取付ける。
【特許文献１】特開平８−１７２３６号公報（第３−４頁、図１）
【発明の開示】
【発明が解決しようとする課題】
【０００５】
しかし、上述した照明器具では、既設の照明器具を新設する照明器具に交換するために、本体枠２を一対の天井バー１１、１２から取外して、点灯装置２７、２７’の交換後に、本体枠２を一対の天井バー１１、１２に取付ける作業が必要であって、ビル等において大量に設置された照明器具を交換する場合などに膨大な施工時間を要する。さらに、本体枠２から取外された既設の点灯装置２７によって大量の廃棄部材が生じてしまう。
【０００６】
本発明は、上記事由に鑑みて為されたものであって、既設のシステム天井用照明器具から交換する場合に、施工時間を短くすることができ、生じる廃棄部材が少ないシステム天井用照明器具を提供することを目的とする。
【課題を解決するための手段】
【０００７】
請求項１の発明は、天井下地から吊下された複数本の天井バー間に天井パネルを設けて形成されるシステム天井において隣接して並設された一対の天井バーの上端間に架設された本体枠と、前記一対の天井バーと本体枠とで囲まれた空間に収納される反射板と、反射板に対して本体枠と反対側に設けられ反射板との間に収納空間を形成する補助反射板と、反射板の下面側に設けられランプを保持するソケットと、ソケットに接続されランプを点灯させる安定器と、安定器と電源との間に介在し安定器に電源を供給する端子台とを備え、安定器と端子台とが、反射板と補助反射板との間に形成された前記収納空間内に収納されることを特徴とする。
【０００８】
この構成によれば、反射板と補助反射板とが、安定器と端子台とを収納する収納空間を形成するものであって、安定器と端子台とに対して埃等の付着を防止するために反射板と補助反射板とからなる配光部材の他に部材を設ける必要がないから、低コストで実現できる。
【０００９】
また、請求項２の発明は、請求項１の発明において、前記本体枠は前記隣接して並設された一対の天井バー間に設けられていた既設の照明器具の一部材であって、前記反射板が本体枠に設けられた取付部に対して取付部材によって固着されて成ることを特徴とする。
【００１０】
この構成によれば、既設のシステム天井に設けられた既設の照明器具における本体枠を利用してシステム天井用照明器具を設けることができるので、照明器具の交換に要する施工時間の短縮につながる。さらに、既設の点灯装置を外す必要がなく、交換時に生じる廃棄部材を少なくできる。
【００１１】
また、請求項３の発明は、請求項１の発明において、前記隣接して並設された天井バーの上端間に前記本体枠とは別に架設される固定部材が設けられ、前記反射板が固定部材に固着されて成ることを特徴とする。
【００１２】
この構成によれば、反射板の取付可能な形状が固定部材によって決定するものであって、反射板の形状が本体枠の形状により制限されることがないから、反射板の形状の自由度を高くできる。
【００１３】
また、請求項４の発明は、請求項１ないし請求項３のいずれかの発明において、前記ソケットは前記安定器に接続されたリード線が接続される電極を前記反射板の上面に露出させており、反射板には、リード線が反射板の上面側において反射板と前記本体枠との間に収納される部位にリード線を上下に挿通させる接続用孔が形成されることを特徴とする。
【００１４】
この構成によれば、リード線が反射板の上面側において反射板と本体枠との間に収納されるものであって、リード線は器具から露出することがないので、別に電線保護用のカバーを付加したり、屋内用電線等の屋内配線用の電線を用いたりする必要がなく低コストで実現できる。
【発明の効果】
【００１５】
本発明は、反射板と補助反射板とが、安定器と端子台とを収納する収納空間を形成するものであって、安定器と端子台とに対して埃等の付着を防止するために、反射板と補助反射板とからなる配光部材の他に部材を設ける必要がないから、低コストで実現できるという利点がある。
【発明を実施するための最良の形態】
【００１６】
（実施形態１）
本実施形態は、既設の照明器具を新たな照明器具に交換する例を示す。
【００１７】
本実施形態で想定している既設の照明器具は従来構成として説明した既設の照明器具と同様の構成を有し、一対の天井バーの頭部間に架設される天井バーの長手方向に長い矩形枠状の本体枠と、本体枠の下面に形成された取付ねじ孔（取付部）に螺合する取付ねじ（取付部材）によって本体枠の下面側に取り付けられる反射板とを備える。照明器具に設けたランプは、直管形の蛍光灯であって、天井バーの長手方向に対向して設けられる２個１組のソケット間に保持される。ソケットは、本体枠の長手方向の両端部における下面に形成されたソケット取付部に着脱自在に取付けられる。また、ソケットに接続されることによってランプを点灯させる安定器と、安定器と外部の電源との間に介在し安定器に電源を供給する端子台とを収納した点灯装置が、本体枠の上面側に取付けられる。点灯装置は、下面開口の箱状であって、開口部を本体枠の開口部に臨ませる位置に配置される。
【００１８】
上述した既設の照明器具を新設する照明器具に交換するにあたっては、従来と同様に新設する照明器具に既設の照明器具における本体枠を流用する。また、本実施形態では新設する照明器具に本発明の照明器具を用いており、新設する照明器具は、ソケットと安定器と端子台とが反射板に設けられた構成を有する。つまり、既設の照明器具と異なる位置にソケットと安定器と端子台とを新設するものであって、交換時に本体枠の下面側に取付けられている反射板を交換すればよいので、本体枠を一対の天井バーから取外す必要がなく、本体枠の上面側に設けられた既設の照明器具の点灯装置を残しての交換が可能である。
【００１９】
ここで、新設する照明器具を構成するために既設の照明器具から反射板が外された状態の本体枠を図１に示す。既設の安定器と端子台とを収納した点灯装置２７は、本体枠２の上面側に設けられているものであるから、本体枠２の下面側に取付けられている反射板の交換を妨げるものではなく取外されていない。また、既設のソケット４’は、本体枠２から取外され点灯装置２７内に収納されている。
【００２０】
本体枠２は、本体枠２を一対の天井バー１１、１２上に支持する複数個（図では４個）の脚部２２を備え、本体枠２に囲まれた開口部を点検口２３とする。また、本体枠２は、長手方向の両端部に幅方向に長い矩形板状のソケット台２４を備え、両ソケット台２４における長手方向の両端部同士が一対の側枠２５によって連結された構成を有する。既設のソケット４’が取付けられていたソケット取付部２１は、各ソケット台２４の下面に夫々形成されている。取付ねじ孔２８は、各ソケット台２４において点検口２３に臨む端縁に沿って２個ずつ並設されている。また、両ソケット台２４における互いに反対側の端縁は、下方に向かって延設されている。
【００２１】
脚部２２は、本体枠２の幅方向に対向するように各側枠２５に対して上端部が夫々固定された２個を１組として、本体枠２の長手方向に２組列設される。一対の脚部２２は、図２に示すように、互いの距離を下端部に向かって広げるような段差２９を有し、段差２９の下面を一対の天井バー１１、１２の頭部に当接させることによって天井バー１１、１２に対して位置固定される。すなわち、本体枠２は一対の天井バー１１、１２に対して上方から凹凸係合する。また、図３に示すように、脚部２２の下端部との間に天井バー１１、１２の頭部を挟持するように設けられた抜止ばね２６は、本体枠２と一対の天井バー１１、１２との係合を保持する。
【００２２】
新設する照明器具を構成する反射板３は、図１に示すように、一対の天井バー１１、１２の長手方向に長い矩形状の主板３１と、主板３１の幅方向の両端から下方に突設された側板３２と、主板３１の長手方向の両端から下方に突設された補助側板３３とで構成されることにより下面開口の薄箱状に形成され、本体枠２と一対の天井バー１１、１２とに囲まれた空間に配設される。反射板３の詳細な形状として、一対の側板３２が下方に向かって互いに離れるように主板３１に対して傾斜し（図３参照）、一対の補助側板３３の各先端が互いに離れる向きに延設されて反射板エンド部３４を夫々形成している。
【００２３】
主板３１の下面には、図４に示すように、ランプ４１（図３参照）を点灯させる安定器５と、安定器５と外部に設けられた電源との間に介在し安定器５に電源を供給する端子台６とが設けられる。安定器５と端子台６とは、主板３１の幅方向の中央部において、安定器５に対して図の左側方に端子台６が位置するように並設され、リード線７によって接続される。また、主板３１の幅方向の中央部において端子台６に対して図の左側方に貫設された引込孔６１には、端子台６を外部の電源に接続する屋内用配線６２（図１参照）が上下方向に挿通される。
【００２４】
ところで、新設する照明器具は、図５に示すような、主板３１の下面に対して固着されることによって反射板３との間に収納空間８１を形成する補助反射板８を備え、安定器５と端子台６とを収納空間８１内に収納する点に特徴がある。補助反射板８は、主板３１に対向するとともに長手方向の寸法が主板３１と略等しく安定器５および端子台６に対して主板３１の幅方向の両側方に設けられる固着部８２と、各固着部８２における安定器５および端子台６側の端縁から下方に延設された連結部８３と、両連結部８３の下端間に跨って設けられ長手方向に直交する断面が主板３１から離れる向きに凸になるＶ字状に形成された屋根部８４とを備える。すなわち、主板３１と両補助側板３３と両連結部８３と屋根部８４とに囲まれた部位に収納空間８１が形成される。
【００２５】
補助反射板８の固着部８２には、主板３１における固着部８２との対向部位の一部に設けれられた係合孔３５（図４参照）に係合する係合爪８５が形成され、係合爪８５と係合孔３５とを係合させることによって補助反射板８が反射板３に対して固着される。また、反射板３に係合爪を形成し、補助反射板８に係合孔を形成してもよい。
【００２６】
このように、安定器５と端子台６とが反射板３と補助反射板８との配光部材のみで形成された収納空間８１に収納されることによって、安定器５と端子台６とに対して埃等が付着することを防止するための部材を他に必要としない。
【００２７】
また、主板３１の下面には、図４に示すように、主板３１の長手方向に対向する２個を１組として直管形のランプ４１を保持するソケット４が主板３１の長手方向の両端部に夫々設けられる。本実施形態では新設する照明器具が２灯型であるので、ソケット４は、補助反射板８に対して主板３１の幅方向の両側方に夫々設けられる。各ソケット４において、安定器５に接続されたリード線７が接続される電極４２は主板３１の上面に露出して夫々設けられる。そこで、収納空間８１内における主板３１の長手方向の両端部には接続用孔７１が２個ずつ幅方向に並設され、安定器５と各ソケット４とを接続するリード線７が夫々接続用孔７１に挿通される。
【００２８】
次に、上述した既設の照明器具を新設の照明器具に交換する際の手順を図３を参照して説明する。
【００２９】
まず、既設の照明器具から既設のソケットや反射板などを取外して、本体枠２と一対の天井バー１１、１２とに囲まれた部位に新設の反射板３を収納可能な空間を形成する。次に、図３（ａ）において、図中Ａのように、反射板３の幅方向の一端部を一方の天井バー１１の下端部上に載置する。次いで、図中Ｂのように、反射板３の幅方向の他端部を他方の天井バー１２の下端部上に載置することによって、反射板３は、図３（ｂ）に示すように、一対の天井バー１１、１２の下端間に架設される。
【００３０】
ところで、この状態で、主板３１において各取付ねじ孔２８の下方には取付用孔３６（図４参照）が夫々貫設されており、図中Ｃのように、取付ねじ３７を取付用孔３６を通して取付ねじ孔２８に螺合することによって、反射板３が本体枠２に固着される。
【００３１】
すなわち、既設の照明器具を新設する照明器具に交換するにあたっては、既設の本体枠２を取外す作業と当該本体枠２を取付ける作業とが不要であって、交換作業が容易になるから、従来より短い施工時間で交換可能になる。また、既設のソケット４’や点灯装置２７を取外す必要がないから、既設のソケット４’や点灯装置２７が廃棄部材となることがなく、交換時に生じる廃棄部材が少ないという利点がある。
【００３２】
さらに、リード線７が挿通される接続用孔７１が主板３１の長手方向の両端部に形成されている構成によって、反射板３を本体枠８に固着した状態で、図６（ａ）に示すように、リード線７における反射板３１の上面に露出する部位は各ソケット台２４と主板３１との間に収納される。これによって、安定器５とソケット４とをリード線７によって接続しても、リード線７が器具から露出することがないから、別に電線保護用のカバーなどを付加したり、屋内用電線等の屋内配線用の電線を用いたりする必要がない。
【００３３】
その他にも、反射板３１は本体枠２に対して取付ねじ３７によって固着されているだけであるから取外しが容易であって、反射板３１を取外せば本体枠２の点検口２３から天井パネル等の上側の点検が可能である。したがって、システム天井に対して別に点検口を設ける必要がないという利点がある。
【００３４】
また、本発明の照明器具は、本実施形態のように既設の照明器具から交換する構成に限らず、新設の本体枠２を用意して一対の天井バー１１、１２間に新規に設けることも可能である。
【００３５】
なお、上述した例では、反射板３を本体枠２に固着することによって新設の照明器具を一対の天井バー１１、１２間に取付けていたが、反射板３を本体枠２に固着する構成に限らず反射板３が本体枠２と一対の天井バー１１、１２とに囲まれた空間に配設される構成であればよい。また、補助反射板８は反射板３に対して係合爪８５と係合孔３５との係合によって取付けられており容易に取外すことできるから、補助反射板８を取外せば反射板３を取外すことなく安定器５および端子台６のメンテナンスができる。
【００３６】
（実施形態２）
本実施形態の照明器具は、図７に示すように、実施形態１において新設する照明器具に対して一対の天井バー１１、１２の頭部間に架設される固定部材９が付加された点に特徴がある。
【００３７】
固定部材９は、本体枠２の幅方向に長い矩形板状の連結片９１と、連結片９１の長手方向の両端部から下方に延設された固定片９２とで構成されており、両固定片９２は下方に向かって互いの距離を大きくするように段差９３を有する。連結片９１は、段差９３同士の間隔を一対の天井バー１１、１２の頭部同士の間隔と略等しくするような長手方向の寸法に形成される。つまり、固定部材９は、各段差９３の下面を一対の天井バー１１、１２の夫々の頭部に当接させることによって天井バー１１、１２の頭部間に架設される。換言すると、固定部材９は一対の天井バー１１、１２に対して上方から凹凸係合する。
【００３８】
また、固定部材９は、固定片９２の下端部との間に天井バー１１、１２の頭部を挟持する固定用抜止ばね９４を有し、一対の天井バー１１、１２との係合が保持される。さらに、反射板３の主板３１において幅方向に並設された取付用孔３６と略等しい間隔で、取付ねじ３７を螺合する固定用ねじ孔９５が連結片９１の長手方向に形成される。
【００３９】
上述した固定部材９は、天井バー１１、１２の長手方向に２個並設される。この構成では、図８に示すように、取付ねじ３７を反射板３の取付用孔３６（図７参照）を通して固定用ねじ孔９５に螺合することによって、反射板３を一対の天井バー１１、１２と本体枠２とに囲まれた空間に固定できる。すなわち、本体枠２の取付ねじ孔２８に代えて固定用ねじ孔９５を用いることにより反射板３を配設する。
【００４０】
その結果、既設の照明器具を新設する照明器具に交換するにあたって、本体枠２において取付用孔３６に対応する位置に取付ねじ孔２８が形成されていなくても、一対の天井バー１１、１２に対して反射板３を取付けることができる。また、一対の固定部材９間の間隔は自由に設定可能であるから、たとえば、ＨＦ３２Ｗの既設の照明器具を、ＨＦ５０ＷやＨＦ１６Ｗなどのサイズの異なる新たな照明器具に交換することも可能である。その他の構成および機能は実施形態１と同様である。
【図面の簡単な説明】
【００４１】
【図１】本発明の実施形態１を示す分解斜視図である。
【図２】同上の本体枠を示す斜視図である。
【図３】同上の施工手順を示す概略説明図である。
【図４】同上の反射板を示す正面図である。
【図５】同上の補助反射板を示し、（ａ）は側面図、（ｂ）は正面図である。
【図６】同上のソケットの電極を示し、（ａ）は側面図、（ｂ）は斜視図である。
【図７】本発明の実施形態２を示す分解斜視図である。
【図８】同上の施工手順を示す概略説明図である。
【図９】従来例におけるシステム天井用照明器具の施工手順を示す斜視図である。
【図１０】同上の施工手順を示す斜視図である。
【図１１】同上の施工手順を示す斜視図である。
【符号の説明】
【００４２】
２  本体枠
３  反射板
４  ソケット
５  安定器
６  端子台
７  リード線
８  補助反射板
９  固定部材
１１、１２  天井バー
２８  取付ねじ孔（取付部）
３７  取付ねじ（取付部材）
４２  電極
７１  接続用孔
【図１】
2005100865.tif 000003
【図２】
2005100865.tif 000004
【図３】
2005100865.tif 000005
【図４】
2005100865.tif 000006
【図５】
2005100865.tif 000007
【図６】
2005100865.tif 000008
【図７】
2005100865.tif 000009
【図８】
2005100865.tif 000010
【図９】
2005100865.tif 000011
【図１０】
2005100865.tif 000012
【図１１】
2005100865.tif 000013